(57)【要約】【課題】床面の掘削作業あるいは破砕作業を行う際の掘削破砕工具の“刃先暴れ”を効果的に防止して、作業者への肉体的ダメージを軽減することが可能で実用的な掘削破砕工具用の先端保持具を提供する。【解決手段】先端保持具１は、床面の掘削作業あるいは破砕作業において削岩機のビット部分あるいはコンクリートブレーカーの先端部分を保持するためのものであり、鉛直に配置された筒状の先端挿入部２と、その先端挿入部２の下端面の左右から水平方向に突出するように設けられた平板状のプレート部３とを有している。【選択図】図１
0003221513.tif 000002
【実用新案登録請求の範囲】
【請求項１】
床面の掘削作業あるいは破砕作業において掘削破砕工具の先端部分を保持するための先端保持具であって、
鉛直に配置された筒状の先端挿入部と、
その先端挿入部の下端面の左右から水平方向に突出するように設けられた平板状のプレート部とを有することを特徴とする掘削破砕工具の先端保持具。
【請求項２】
前記プレート部が、前記先端挿入部の上端面と下端面とを挟むように左右対称で幅広な楕円状に形成されていることを特徴とする請求項１に記載の掘削破砕工具の先端保持具。
【請求項３】
前記先端挿入部が円筒状に形成されているとともに、前記プレート部の幅が、前記先端挿入部の外径と同一になっていることを特徴とする請求項１、または請求項２に記載の掘削破砕工具の先端保持具。
【考案の詳細な説明】
【技術分野】
【０００１】
本考案は、床面の掘削あるいは破砕作業の際に、掘削破砕工具の先端部分（削岩機のビット部分やコンクリートブレーカーの先端部分等）を保持するための先端保持具に関するものである。
【背景技術】
【０００２】
炉底の煉瓦や耐火物の解体作業等を行う際には、ビットを先端に取り付けたロッドを回転させる回転式削岩機や、先端を上下動させる際の衝撃により床面を破砕するコンクリートブレーカー等の掘削破砕工具が用いられる。そして、そのような掘削破砕工具を用いて炉底の煉瓦や耐火物の解体作業を行う際には、作業者が掘削破砕工具の上端際のハンドルを強い力でしっかりと把持することが必要であり、その把持力が不十分になると、掘削破砕工具の先端が軸外方向に振動する所謂“刃先暴れ”が発生してしまい、作業者が多大な肉体的ダメージを被ってしまう。
【０００３】
それゆえ、そのような“刃先暴れ”が生ずる事態を回避すべく、特許文献１の如く、高比重の粒状物を収納した２個の衝撃吸収用重体物収納袋を帯で連結してなり、それらの衝撃吸収用重体物収納袋を、掘削破砕工具の振動機器およびハンドル等に吊り下げて固定するための固着材を設けた振動機器用の衝撃吸収治具が開発されている。
【先行技術文献】
【特許文献】
【０００４】
【特許文献１】特開平５−１１６０７７号公報
【考案の概要】
【考案が解決しようとする課題】
【０００５】
しかしながら、特許文献１の振動機器用の衝撃吸収治具は、２個の衝撃吸収用重体物収納袋の重力によって振動機器の先端を安定させるものであり、重量が大きくなければ、振動機器の先端を安定させることができないため、衝撃吸収治具自体の運搬や振動機器への装着のために、却って作業者に多大な肉体的ダメージを与えてしまう虞れがある。
【０００６】
本考案の目的は、上記特許文献１の衝撃吸収治具の如き従来の振動機器用の補助具が有する問題点を解消し、掘削破砕工具の“刃先暴れ”を効果的に防止して、作業者への肉体的ダメージを軽減することが可能で実用的な掘削破砕工具用の先端保持具を提供することにある。
【課題を解決するための手段】
【０００７】
本考案の内、請求項１に記載された考案は、床面の掘削作業あるいは破砕作業において掘削破砕工具の先端部分を保持するための先端保持具であって、、鉛直に配置された筒状の先端挿入部と、その先端挿入部の下端面の左右から水平方向に突出するように設けられた平板状のプレート部とを有することを特徴とするものである。
【０００８】
請求項２に記載された考案は、請求項１に記載された考案において、前記プレート部が、前記先端挿入部の上端面と下端面とを挟むように左右対称で幅広な楕円状に形成されていることを特徴とするものである。
【０００９】
請求項３に記載された考案は、請求項１または請求項２に記載された考案において、前記先端挿入部が円筒状に形成されているとともに、前記プレート部の幅が、前記先端挿入部の外径と同一になっていることを特徴とするものである。
【考案の効果】
【００１０】
請求項１に記載の掘削破砕工具の先端保持具は、作業者が掘削破砕工具の先端（削岩機のビット部分あるいはコンクリートブレーカーの先端部分）を先端挿入部の内部に挿入し、先端挿入部の左右から伸長したプレート部に両足の爪先部分を置いて全体重を加えた状態で掘削破砕工具を作動させることによって、掘削破砕工具の先端が軸外方向に振動する“刃先暴れ”を効果的に防止することができる。それゆえ、請求項１に記載の掘削破砕工具の先端保持具によれば、掘削あるいは破砕作業中における作業者の肉体的ダメージを大幅に低減することができる。
【００１１】
請求項２に記載の掘削破砕工具の先端保持具は、プレート部が先端挿入部の上端面と下端面とを挟むように左右対称で幅広な楕円状に形成されているため、プレート部が衝撃を受けても壊れにくい上、上下を逆にしても同様に使用することができるので、利便性に優れている。
【００１２】
請求項３に記載の掘削破砕工具の先端保持具は、先端挿入部が円筒状に形成されており、先端挿入部が衝撃を受けても壊れにくい上、プレート部がコンパクトに形成されており軽量であるので、持ち運びに便利である。
【図面の簡単な説明】
【００１３】
【図１】掘削破砕工具の先端保持具を示す説明図である（ａは平面図であり、ｂは正面図であり、ｃはａにおけるＡ−Ａ線端面図であり、ｄは斜視図である）。
【図２】掘削破砕工具の先端保持具の使用方法を示す説明図である。
【考案を実施するための形態】
【００１４】
以下、本考案に係る掘削破砕工具の先端保持具（以下、単に先端保持具という）の一実施形態について、図面に基づいて詳細に説明する。
【００１５】
＜先端保持具の構造＞
図１は、本考案に係る先端保持具の一例を示したものであり、先端保持具１は、金属（鉄）によって一体的に形成されており、鉛直に配置された筒状の先端挿入部２と、その先端挿入部２の上端面および下端面を挟むように左右対称で幅広な楕円状に形成されたプレート部３とを有している。そして、先端保持具１は、横幅×前後幅×高さ＝５００ｍｍ×５０ｍｍ×８０ｍｍの大きさを有している。
【００１６】
先端挿入部２は、金属（鉄）によって、外径５０ｍｍ×内径４０ｍｍ（厚さ５ｍｍ）の円筒状に形成されており、８０ｍｍの高さを有している。
【００１７】
一方、プレート部３は、同一形状を有する左側のプレート部材３ａと右側のプレート部材３ｂとによって形成されている。それらの各プレート部材３ａ，３ｂは、厚さ５ｍｍの金属板（鉄板）を、鉛直断面（長手方向に沿った鉛直断面）が横向きの略Ｕ字状になるように折り曲げることによって形成されており、上下の端縁に、それぞれ、内径＝５０ｍｍの半円状の切り欠きが形成されている。そして、プレート部３は、各プレート部材３ａ，３ｂの上下の切り欠きの部分を、先端挿入部２の上下の周縁に左右両側から当接させて溶接することによって、幅広な楕円状に形成された状態になっている。
【００１８】
また、上記の如く、幅広な楕円状に形成されたプレート部３においては、左右の端縁際が、曲率半径Ｒ＝４０ｍｍの円弧を描くように屈曲しており、中央付近の上下に約４２０ｍｍの平坦な部分（先端挿入部２の設置部分を含む）が形成された状態になっている。さらに、先端挿入部２の上端縁および下端縁と、プレート部３の上下の外面とが、面一の状態になっている。
【００１９】
＜先端保持具の使用方法＞
図２は、上記の如く構成された先端保持具１の使用方法を示したものである。作業者が先端保持具１を用いて床面の掘削あるいは破砕作業を行う際には、その床面上に先端保持具１を載置し、掘削破砕工具Ｍの先端（削岩機のビット部分あるいはコンクリートブレーカーの先端部分）を先端挿入部２の内部に挿入するとともに、作業者が、プレート部３によって形成された先端挿入部２の左右の空間内に両足の爪先部分を挿入して、プレート部３の地面に当接した側の内面を足で踏むようにして起立する。
【００２０】
そのように作業者がプレート部３の内面を踏んで起立することによって、作業者の全体重が先端保持具１に加わるため、先端保持具１が動かないように固定される。そして、その姿勢のまま、掘削破砕工具Ｍを作動させることによって、掘削破砕工具Ｍの先端は、先端挿入部２の内部で保持されるため、掘削破砕工具Ｍの先端が軸外方向に振動する“刃先暴れ”の事態が防止される。
【００２１】
＜先端保持具の効果＞
先端保持具１は、上記の如く、鉛直に配置された筒状の先端挿入部２と、その先端挿入部２の下端面の左右から水平方向に突出するように設けられた平板状のプレート部３とを有するものであり、作業者が掘削破砕工具Ｍの先端（削岩機のビット部分あるいはコンクリートブレーカーの先端部分）を先端挿入部２の内部に挿入し、先端挿入部２の左右から伸長したプレート部３に両足の爪先部分を置いて全体重を加えた状態で掘削破砕工具Ｍを作動させることによって、掘削破砕工具Ｍの先端が軸外方向に振動する“刃先暴れ”を効果的に防止することができる。それゆえ、先端保持具１によれば、掘削あるいは破砕作業中における作業者の肉体的ダメージを大幅に低減することができる。
【００２２】
また、先端保持具１は、プレート部３が、先端挿入部２の上端面と下端面とを挟むように左右対称で幅広な楕円状に形成されているため、プレート部３が衝撃を受けても壊れにくい上、上下を逆にしても同様に使用することができるので、利便性に優れている。
【００２３】
さらに、先端保持具１は、先端挿入部２が円筒状に形成されているとともに、プレート部３の幅が先端挿入部２の外径と同一になっているため、先端挿入部２が衝撃を受けても壊れにくい上、プレート部３がコンパクトに形成されており軽量であるので、持ち運びに便利である。
【００２４】
加えて、先端保持具１は、先端挿入部２の内径が掘削破砕作業に用いる掘削破砕工具Ｍの先端（削岩機のビット部分あるいはコンクリートブレーカーの先端部分）の外径の概ね１０３％〜１０５％になるように設計されているので、掘削破砕工具Ｍの作動（上下動あるいは回転）を阻害することなく、非常に効果的に“刃先暴れ”を防止することができる。
【００２５】
＜先端保持具の変更例＞
本考案に係る先端保持具は、上記した実施形態の態様に何ら限定されるものではなく、先端挿入部、プレート部等の構成を、本考案の趣旨を逸脱しない範囲で、必要に応じて適宜変更することができる。
【００２６】
たとえば、先端保持具は、上記実施形態の如く、先端挿入部の上端面と下端面とを挟むように左右対称で幅広な楕円状に形成されたプレート部を有するものに限定されず、先端挿入部の下端面のみに、左右に伸張するプレート部が設けられており、正面視が逆Ｔ字状であるものや、プレート部が先端挿入部の下端面および上端面に、左右に伸張するプレート部が別々に設けられており、正面視が横向きのＨ字状であるもの等に変更することも可能である。
【００２７】
また、先端保持具は、上記実施形態の如く、先端挿入部を構成する金属板の厚さとプレート部を構成する金属板の厚さとが同じであるものに限定されず、先端挿入部を構成する金属板の厚さをプレート部を構成する金属板の厚さより厚くしたものに変更することも可能である。そのような構成を採用することによって一層軽量化することが可能となる。
【００２８】
さらに、先端保持具は、上記実施形態の如く、一定の径の円筒状の先端挿入部を有するものに限定されず、水平断面が楕円の筒状の先端挿入部を有するものや、先細の筒状の先端挿入部を有するものに等に変更することも可能である。
【産業上の利用可能性】
【００２９】
本考案に係る先端保持具は、上記の如く優れた効果を奏するものであるので、床面の掘削あるいは破砕作業において作業者の肉体的ダメージを軽減するための作業補助具として好適に用いることができる。
【符号の説明】
【００３０】
１・・先端保持具
２・・先端挿入部
３・・プレート部
【図１】
0003221513.tif 000003
【図２】
0003221513.tif 000004